(57)【特許請求の範囲】
【請求項１】
被吊下体２上面から一側面下部開口のフック３を起立してなる吊下機構であって、上記フック３の自由端ａからフック内面に沿って、且つフック内面との間に逃げ代としての間隙５をおいて弾性帯板４を延設し、該弾性帯板末端部4Eを、上記フック自由端ａ下方に於いて極大となる如く且つ末端ｂを自由端ａ側方の被吊下体２上面に連結して正面視が弾性変形可能な山型に形成してなり、上記自由端ａと末端部頂部ｃとの間に形成された吊下用ロッド６の出入口７を、その開口幅ｄがロッド６の直径よりも小さくなる如く構成し、上記弾性帯板４の自由端ａから末端部頂部ｃまでを円弧状に、末端部頂部ｃから末端ｂまでを傾斜状に形成し、山型部分下方に上記間隙５よりも大きな山型状の間隙をあけてなることを特徴とする吊下機構。
【請求項２】
上記被吊下体２が、収納物を挿入可能なケース状の容器体８である請求項１に記載の吊下機構を備えた吊下容器。
【発明の詳細な説明】
【０００１】
【発明の属する技術分野】
本発明は吊下機構及び該機構を備えた吊下容器に関する。
【０００２】
【従来の技術】
吊下容器として、例えば、内部に防虫剤、消臭剤などを収納した容器本体の上面よりフックを立設し、該フックを対象とする吊り下げ場所のロッドに係合して吊り下げ使用するものがある。
【０００３】
従来のこの種の容器に於けるフックは、リングの一側端を開口した円弧状をなしているため、特定方向の外力によりフックが外れて落ちる場合がしばしばあり、特に洋服ダンス等に使用する防虫剤容器の場合などには、収納された洋服やハンガーによりあらゆる方向から外力を受け易く、その傾向が強い。
【０００４】
また、この様な点を考慮して、フックを弾性変形可能として、フック吊り下げ用のロッドへのフック嵌合時には、そのフックが有するロッド出入口が弾性拡開してその嵌合が容易である反面、そのロッド出入口の弾性復元による狭小化で、フックが外れ難く設けたものが提案されている（特開平１１−１３００８１号公報）。
【０００５】
上記フックは正面視がｃ字状をなし、その  出入口の開口幅は狭ければ狭いほど、一旦嵌合させたロッドが外力により不用意に外れるのを防止できるものであるが、この様なフックでは、弾性変形の限界もあって出入口の開口幅をロッドが通過しずらい狭いものとするのに限度がある。
【０００６】
【発明が解決しようとする課題】
本発明は上記した点に鑑みなされたもので、出入口の開口幅を極力狭くすることができて吊り下げ後の外力等による不都合な落下が起こり難く、しかも吊り下げる際には狭い開口幅であっても容易に拡開できて簡単な装着を行うことができ、更に、取り外す際にも所定の手続をとれば簡単に行える吊下機構及び該機構を備えた吊下容器を提案するものである。
【０００７】
第１の手段として、以下の通り構成した。即ち、被吊下体２上面から一側面下部開口のフック３を起立してなる吊下機構であって、上記フック３の自由端ａからフック内面に沿って、且つフック内面との間に逃げ代としての間隙５をおいて弾性帯板４を延設し、該弾性帯板末端部4Eを、上記フック自由端ａ下方に於いて極大となる如く且つ末端ｂを自由端ａ側方の被吊下体２上面に連結して正面視が弾性変形可能な山型に形成してなり、上記自由端ａと末端部頂部ｃとの間に形成された吊下用ロッド６の出入口７を、その開口幅ｄがロッド６の直径よりも小さくなる如く構成し、上記弾性帯板４の自由端ａから末端部頂部ｃまでを円弧状に、末端部頂部ｃから末端ｂまでを傾斜状に形成し、山型部分下方に上記間隙５よりも大きな山型状の間隙をあけて構成した。
【０００８】
第２の手段として、以下の通り構成した。即ち、前記第１の手段に於いて、上記弾性帯板４の自由端ａから末端部頂部ｃまでを円弧状に、末端部頂部ｃから末端ｂまでを傾斜状に形成した。
【０００９】
第３の手段とて、以下の通り構成した。即ち、前記第１の手段又は第２の手段のいずれかの手段に於いて、上記被吊下体２が、収納物を挿入可能なケース状の容器体８である如く構成した。
【００１０】
【発明の実施の形態】
以下、本発明の実施の形態を図面を参照して説明する。
【００１１】
図１に示す如く本発明の吊下機構１は、被吊下体２上面よりフック３を立設し、また、その内側には弾性帯板４を延設している。
【００１２】
フック３は一側方下部を開口した鉤型をなしており、内周縁が円弧状に形成されたものが好ましく使用される。
【００１３】
弾性帯板４は、フック３の自由端ａからフック内面に沿って、且つ、フック内面との間に逃げ代としての間隙５をあけて延設しており、また、その末端部4Eを、上記フック自由端ａ下方に於いて極大となる如く且つ末端ｂを自由端ａ側方の容器体８上面に連結して側面視が弾性変形可能な山型に形成している。また、上記自由端ａと末端部頂部ｃとの間に形成され且つ被吊下体２を吊り下げるロッド６を出し入れさせる出入口７の開口幅ｄを、ロッド６の直径よりも小さく形成している。
【００１４】
弾性帯板４末端部4Eの山型形状は、上記した要件を満たしていれば種々採用できるが、図１に示す実施例では、弾性帯板４の自由端ａから末端部頂部ｃまでを円弧状に、末端部頂部ｃから末端ｂまでを傾斜状に形成して末端部の山型形状を構成しており、ロッド６への嵌着時にロッドにより傾斜状部分を押圧すると、山型部分を出入口７の開口幅を広げる如く確実に弾性変形させることができ、容易なロッドへの装着ができる如く構成している。また、山頂部分が比較的鋭角に設けられているため、一旦嵌合したロッド６が円弧状部分を側方に向かって押圧しても形状的に山型部分がつぶれ難く、勝手に出入口７が広がらない様に構成している。
【００１５】
図３は、他の実施例を示し、末端部4Eの山型形状が、その山頂部分をなめらかな湾曲面として、ロッド６の押込みをより容易に構成している。この場合には、図１の実施例と比較して、外力による山型部分の変形を受け易いが、出入口７の開口幅を充分狭くしておけば対応できる。本発明では、逃げ代としての間隙５を設けているため、出入口７の開口幅ｄを狭く構成しても目的を達成できるものである。
【００１６】
図２は、円筒状のロッド６に、本発明吊下機構１を吊り下げる場合の一例を示したものである。図２(a) にある如く、ロッド６と直行して出入口７を当接させ、フック３を押し込むと、弾性帯板４の末端部の傾斜部分を押下げる如く弾性変形させて出入口７が広がるとともに、その他の部分が外方逃げ代としての間隙５方向へ押し込められ、第２図(b) にある如く、ロッド６が出入口７より内方へ侵入可能となる。次いで、フック３を更に押し込むことにより、第２図(c) にある如く、ロッド６がフック３内に係合し、その際、弾性帯板４は元の状態に弾性復元して出入口７を元の狭い開口幅に戻す。
【００１７】
取り外しの際には、この状態から指で弾性帯板４の傾斜部分を押し下げ、出入口７の開口幅を広くした後、フック３を出入口７とは逆方向に押し込めば容易に取り外すことができる。尚、フック３の押込みの際には、被吊下体２をもって行うと良い。
【００１８】
被吊下体２は種々の形態のものが使用でき、図示例の如きケース状のもの或いは板状のもの、その他あらゆる吊下物に対応できる。また、その材質も合成樹脂、金属、木等種々のものが使用できるが、フック３及び弾性帯板４とともに合成樹脂により一体に形成すると成形上便利である。
【００１９】
図１は本発明の吊下容器Ａの一例を示すもので、該容器１は、上記した本発明の吊下機構１を備えている。吊下容器Ａは、被吊下体２として、収納物を挿入可能なケース状の容器体８を採用している。収納物として、例えば、防虫剤や消臭剤を挙げられるがこれに限られない。
【００２０】
図示例の容器体８は、全体として平たい中空のケース状をなし、横長矩形状の前壁周縁部より後方へ周壁を延設した前部容器体と、横長矩形状の後壁周縁部より前方へ周壁を延設した後部容器体とを、各周壁の端面相互を当接して、固定手段により強固に固定している。固定手段としては、前壁の内面周縁部の複数箇所と、後壁の内面周縁部の複数箇所とにそれぞれ設けた突起と嵌合筒との嵌合を採用しているが、これに限られない。また、容器体の前後壁には、防虫剤を揮散させるための多数の窓孔９を穿設している。
【００２１】
また、前部容器体の上面中央部より左方下部を開口したフック３及び弾性帯板４を立設している。フック３及び弾性帯板４は前部容器体上面より立設し、両者は前部容器体と合成樹脂により一体に形成されている。尚、これら前部容器体及び後部容器体をそれぞれヒンジを介して一体に成形し、全体を合成樹脂により一体に形成することも当然可能である。
【００２２】
【発明の効果】
以上説明した如く、第１の手段の吊下機構は、既述構成としたことにより、簡単な操作により、ロッド６への吊り下げ、或いはロッド６からの取り外しを容易に行うことができる。しかも、弾性帯板末端部4Eを弾性変形可能な山型に形成していることと、弾性帯板４の逃げ代としての間隙５を設けていることとがあいまって、出入口７の開口幅ｄを充分狭いものとしても、ロッド嵌入時に充分な大きさに拡開でき、また、一旦吊り下げた後は出入口７の開口幅ｄが狭いことと、弾性帯板４が緩衝材となることとが相俟って、外力により不用意に外れることが少なく、確実に吊り下げ状態を維持できるものである。また、その構造も簡単で、容易に形成できる利点を兼ね備える。
【００２３】
また、第２の手段の吊下機構は、ロッド６への嵌合時にロッドに押圧された弾性帯板の傾斜部分が、その円弧状部分を押込みつつ山型状の末端部を効率よく弾性変形させ、出入口７の開口がより容易に行える利点を兼ね備えている。
【００２４】
また、第３の手段の吊下容器は、防虫剤などを収納してタンス内のロッドに吊り下げた際に、洋服やハンガー等の出し入れにより容器が外れたり、タンス内下面に落ちて気がつかずにいたりすることが少なく、充分な容器体内容物の効力を発揮できるものである。
【図面の簡単な説明】
【図１】本発明の一実施例を示す正面図である。
【図２】同実施例の作用を説明する説明図である。
【図３】本発明の他の実施例を示す要部正面図である。
【符号の説明】
１…吊下機構，２…被吊下体，３…フック，４…弾性帯板，4E…末端部，
５…間隙，６…ロッド，７…出入口，８…容器体，Ａ…吊下容器，
ａ…自由端，ｂ…末端，ｃ…末端部頂部，ｄ…開口幅
【図１】
0004125503.tif 000002
【図２】
0004125503.tif 000003
【図３】
0004125503.tif 000004